(57)【特許請求の範囲】
【請求項１】
髪の毛を切るためのバリカン（１０）であって、ケース（１２）と、前記ケース（１２）内に保持されたモータ（１４）と、前記モータ（１４）を動作させる電力手段と、そして前記ケース（１２）に保持されており、前記モータにより駆動される髪の毛を切るための刃体のセット（１６）とを備え、前記刃体のセットは、列状に配置された複数の固定刃歯（２８）を有する固定刃（２２）であって、前記刃体のセット（１６）が髪の毛を通して動く時、隣り合う固定刃歯の間に髪の毛が入るようになっており、前記固定刃歯（２８）は、角度付けられたサイド・カッティング・エッジ（３０）とそのサイド・カッティング・エッジが交差する位置にある先端部（３２）とを有し、且つ前記固定刃（２２）は、隣り合う歯の角度付けられたサイド・カッティング・エッジ（３０）が互いに交差して形成された根本部（３４）を有するものと、列状に配置された複数の移動刃歯（３８）を有する移動刃（２０）であって、前記移動刃歯は使用中に、前記固定刃歯（２８）の前記サイド・カッティング・エッジ（３０）を横切って通過して髪の毛のいくらかをカットするものとを含み、更にそれぞれの前記移動刃歯（３８）は表面（４３、４５）により分離されており、前記表面（４３、４５）は、前記移動刃（２０）の移動方向に配列されており、前記固定刃歯（２８）の間に入った髪の毛の幾分かをカットできるナイフ状の移動刃エッジ（４２）を形成しており、前記ナイフ状の移動刃エッジ（４２）は、前記固定刃歯の根本部（３４）により形成された第２ライン（３６）と前記固定刃先端部（３２）により形成された第３のライン（４８）との間にある第１ライン（４４）を形成していると共に、当該移動刃の隣接する当該各移動刃歯（３８）間に形成された間隔は、当該固定刃の隣接する当該各固定刃歯（２８）間に形成された間隔よりも長くなる様に設定されている事を特徴とする髪の毛を切るためのバリカン。
【請求項２】
髪の毛をカットする刃体のセット（１６）であって、列状に配置された複数の固定刃歯（２８）を有する固定刃（２２）であって、前記刃体のセット（１６）が髪の毛を通して動く時、隣り合う固定刃体歯の間に髪の毛が入るようになっており、前記固定刃歯（２８）は、角度付けられたサイド・カッティング・エッジ（３０）と、その角度付けられたサイド・カッティング・エッジが交差して形成された先端部（３２）とを有し、且つ前記固定刃（２２）は、隣り合う歯の角度付けられたサイド・カッティング・エッジ（３０）が交差する位置にある根本部（３４）を有するものと、列状に配置された複数の移動刃歯（３８）を有する移動刃（２０）であって、前記移動刃歯（３８）は使用中に、前記固定刃歯（２８）を補足し前記固定刃歯（２８）の前記角度付けられたサイド・カッティング・エッジ（３０）を横切って通過して髪の毛のいくらかをカットするものとを含み、それぞれの前記移動刃歯（３８）は表面（４３、４５）により分離されており、前記表面（４３、４５）は、前記移動刃（２０）の移動方向に配列されており、前記固定刃歯（２８）の間に入った髪の毛の幾分かをカットできるナイフ状の移動刃エッジ（４２）を形成しており、前記ナイフ状の移動刃エッジ（４２）は、前記固定刃歯の根本部（３４）により形成された第２ライン（３６）と前記固定刃先端部（３２）により形成された第３のライン（４８）との間に有る第１ライン（４４）を形成していると共に、更に当該移動刃の隣接する当該各移動刃歯（３８）間に形成された間隔部分は、ナイフ状の移動刃エッジ（４２）で構成されており、当該間隔部分の長さは、各移動刃歯（３８）の長さよりも長くなる様に構成されている事を特徴とする髪の毛をカットする刃体のセット。
【発明の詳細な説明】
【０００１】
【発明の属する技術分野】
本発明は髪の毛を切るためのバリカンおよび髪の毛をカットする刃体のセットに関し、より詳細には、バリカンでユニークなヘアスタイルを得るための、フラットな先端部を持つ短い歯と、歯の間のナイフ状のエッジとを有する往復運動をする切断用の刃体に関するものである。
【０００２】
【従来の技術】
髪を切るために長年にわたって電気バリカンが使用されてきた。このバリカンは一般には固定刃と移動刃とを有する刃のセットを含んでいる。刃の各々間隔を置いて配置された歯の列を有して、移動刃の歯が固定刃の歯を横切って通過するときに、固定刃の歯の間に入る髪の毛がカットされるようになっている。
【０００３】
従来のバリカンは髪を迅速且つ効率的にカットし、且つ固定の歯の間を通過する髪の毛の実質的にすべてが特定の均一な長さにカットされるように設計されている。
【０００４】
【発明が解決しようとする課題】
しかし、これは、限定された数のみの髪の毛をカットすることにより髪をすくときのように、ある種のヘアスタイルをつくる場合には望ましくない。髪をレイヤリング又はブレンディングする場合のように、他のヘアスタイル効果は、従来のバリカンではうまく得られず、通常は髪を剃刀で切ることにより得られる。
【０００５】
これは人手の努力と熟練を要し、怪我の可能性も幾分ある。したがって、剃刀カット・ヘアスタイルの外観をつくるために使用され得るバリカンに対する要求がある。
したがって、本発明の目的は新規で改良されたバリカン用の切断刃を提供することにある。
【０００６】
本発明の他の目的は、髪のユニークな織り方および表面の外観をつくるために髪をといたり、レイヤリングしたり、ブレンディングしたりすることにより剃刀によるカットのヘアスタイルの外観をつくることができる新規で改良されたバリカン用の切断刃を提供することにある。
【０００７】
【発明を解決するための手段】
本発明の１つの態様においては、電気バリカンは、ケースと、モータと刃体のセットとを含んでいる。
刃体のセットは間隔を置いた歯の列を持つ固定刃と、やはり間隔を置いて配置された移動又は往復運動をする刃体とを持ち、移動刃が動作中に往復すると固定刃の隣り合う歯の間に入る髪の毛の幾分かをカットできる。
【０００８】
移動用又は切断用の刃の歯の先端部は好ましくはフラットであり、歯は効果的な長さにおいては比較的短い。
さらに、移動歯は、隣り合う移動歯の間の距離が固定刃上の隣り合う歯の間の間隔より大きいように間隔があいている。
ナイフ状のエッジが隣合う歯の間に設けられており、移動刃はナイフ状のエッジが固定刃の歯の間の空間を横切るように配置されている。このようにして、剃刀カットのヘアスタイルが本発明により得られる。
【０００９】
したがって、本発明の第１の目的は、ケースと、ケース内に確保されたモータと、モータを動作させる電力手段と、そしてケースに確保されており、モータにより駆動される髪の毛を切るための刃体のセットとを備え、刃体のセットは、列状に配置された複数の固定刃の歯を有する固定刃であって、刃体のセットが髪の毛を通して動く時、隣り合う刃の歯の間に髪の毛が入るようなっており、固定刃の歯は、角度付けられたサイド・カッティング・エッジとそのサイド・カッティング・エッジが交差する位置にある先端部とを有している。
【００１０】
更に当該固定刃は、隣り合う歯の角度付けられたサイド・カッティング・エッジが交差する位置にある根本部を有するものと、列状に配置された複数の移動刃の歯を有する移動刃であって、移動刃歯は使用中に固定刃と協同して動作し、前記固定刃歯の前記サイド・カッティング・エッジを横切って通過して髪の毛のいくらかをカットするものとを含み、それぞれの移動刃の歯は表面により分離されており、該表面は、移動刃の移動方向に沿って固定刃の歯の間に入る髪の毛の幾分かをカットできるナイフ状の移動刃エッジを形成しており、ナイフ状の移動刃エッジは、固定刃の歯の根本部により形成された第２ラインと固定刃の先端部により形成された第３のラインとの間に有る第１ラインを形成している、髪の毛を切るためのバリカンを提供することである。
【００１１】
本発明の第２の目的は、列状に配置された複数の固定刃の歯を有する固定刃であって、刃体のセットが髪の毛を通して動く時、隣り合う刃の歯の間に髪の毛が入るようなっており、固定刃の歯は、角度付けられたサイド・カッティング・エッジとそのサイド・カッティング・エッジが交差する位置にある先端部とを有し、固定刃は、隣り合う歯の角度付けられたサイド・カッティング・エッジが交差する位置にある根本部を有するものと、列状に配置された複数の移動刃の歯を有する移動刃であって、移動刃の歯は使用中に固定刃の歯の前記サイド・カッティング・エッジを横切って通過して髪の毛のいくらかをカットするものとを含み、それぞれの移動刃の歯は表面により分離されており、該表面は、移動刃の移動方向に沿って固定刃の歯の間に入る髪の毛の幾分かをカットできるナイフ状の移動刃エッジを形成しており、ナイフ状の移動刃エッジは、固定刃の歯の根本部により形成された第２ラインと固定刃の先端部により形成された第３のラインとの間に有る第１ラインを形成している、髪の毛をカットする刃を提供することである。
【００１２】
以下の実施の形態の記載を添付の図面を参照して読むことにより、上記の特徴および他の特徴とそれらを得る方法は一層明瞭になり、本発明そのものも最適に理解されるであろう。
【００１３】
【発明の実施の形態】
図から解るように、電気バリカン１０は、ケース１２と、モータ１４と、刃体のセット１６とを含んでいる。電気が電圧線、バッテリー等の電源により供給される。
刃体のセット１６は移動刃２０と固定刃２２とを含んでいる。移動刃２０はテンション・スプリング２４により固定刃２２に押圧されており、それにより切断用の移動刃２０が、やはりモータ１４に接続されている偏心カム２６による往復運動で前後に移動可能になっている。
【００１４】
固定刃２２は列状に配置された複数の歯２８を持っている。歯２８は、サイド・カッティング・エッジ３０が交差する位置の各歯２８の端部に角度を持ったサイド・カッティング・エッジ３０と先端部３２とを有している。
１つおきの先端部３２は好ましくは短い伸張部３１を持ち、残りの先端部３２は長い伸張部３３を持つ。隣り合う歯２８のサイド・カッティング・エッジ３０はそれらが交差する位置で根本部３４を形成している。
【００１５】
根本部３４は、バリカンが使用中に髪の毛を通過する方向に横断している略直線３６に沿って横たわっており、移動刃２０が動作中に移動する方向Aに略平行である。
移動刃２０は間隔を置いて並べられた複数の歯３８を含んでいる。隣接する歯３８の間のスペースは隣接する固定歯２８の間のスペースより大きい。歯３８はフラットな先端部４０を持ち、２つの表面４３、４５により形成されたナイフ状のエッジ４２により分離されている。
【００１６】
エッジ４２は移動刃が往復する方向Aに向かっており、実際の剃刀の鋭さを必要としなくても、移動刃によるスライス動作で髪を切るのに十分に鋭い。
歯２８と歯３８の各部の間の関係は図７に示されている。
ナイフ状のエッジ４２により形成されたライン４４はライン３６の上にあり、ナイフ状のエッジ４２は固定歯２８の間を通過するいくらかの髪の毛をカットすることができる。
【００１７】
移動刃２０の先端部４０は、ライン３６および４４の上にあるライン４６に沿って横たわっており、歯３８が同様にいくらかの髪の毛をカットできる。
一般に、ナイフ状のエッジ４２はスライス動作を用いてナイフでカットするようにして髪の毛をカットし、歯３８は従来のバリカンに類似の刈り込み剪断動作でカットする。ある場合には、歯３８は髪の毛のいくらかを部分的にのみカットすることが考えられる。
【００１８】
１実施例においては、ライン４４はライン３６の上の約0.07インチ(0.18cm)にあり、ライン４６はライン４４の上の約0.02インチ(0.05cm ）にある。先端部３２はライン４８に沿って配列されており、そのライン４８はこの実施例ではライン３６の上の約0.２インチ(0.50cm）にある。
隣接先端部３２の間の典型的な距離は約0.095 インチ（0.24cm) であり、歯３８の間の中心間距離は約0.17インチ(0.43cm)である。
【００１９】
ストロークの振幅は約0.110インチ（0.28cm）である。短い先端部の伸張部３１はライン５０に沿って配置されており、そのライン５０はライン３６の上の約0.220 インチ（ 0.56 ｃｍ）にあり、先端部の伸張部３３はライン５２に沿って配置されており、そのライン５２はライン３６の上の約0.46インチ（ 1.17 ｃｍ）にある。
【００２０】
先端部の伸張部３３は図２におけるＢにおいて0.3インチ（0.76cm) の幅を持つ。他の寸法、特に上記した寸法で規定されたものと相似形な一部あるいは全部を持つ特定の寸法と補完しあう事が出来るが、上記した寸法を使うことにより、剃刀スタイルのヘアデザインが得られる。
使用において、このバリカンは通常の方法で使用される。しかし、このバリカンは、歯３８が他の髪の毛をカットしている間に、ナイフ状のエッジ４２がいくらかの髪の毛をカットできる方向に移動する。髪の毛への接近の角度は移動刃によるカット率に影響を与える。
【００２１】
歯３８はエッジ４２と全く同じ方法で髪の毛をカットするのではなくて、それは剃刀で得られるスタイルと外観が似ている、新規でユニークな刈り込みカットヘアスタイルをつくる。
本発明の利益は今や明らかである。髪をすくこと、レイヤリングすること、形を整える様にテクスチャリングすることおよびブレンディングすることを含む剃刀カットヘアスタイルが、電気バリカンで得られ、剃刀の刃を使用する時に要求される人手による苦労は無くなり、傷を付ける可能性も減少する。熟練は不要で、ユニークで、均一なヘアデザインが得られる。
【００２２】
本発明の原理を特定の装置および応用に関係付けて説明してきたが、この記載は例にすぎず、本発明の範囲を限定する物ではないことを理解すべきである。
【図面の簡単な説明】
【図１】バリカンの内部を示す図である。
【図２】図１に示したバリカン用の刃体のセットの側面図である。
【図３】図１の刃体のセットの内部であり、本発明の原理によりつくられた刃体のセットを示す図である。
【図４】図１の刃体のセットの外観図である。
【図５】図１の刃体のセットの切断用の刃の上面図である。
【図６】図５の６−６線に沿った、図５の切断用の刃の断面図である。
【図７】切断用の刃の歯と固定刃の刃の部分の相対的関係を示す図である。
【符号の説明】
１０・・・バリカン
１２・・・ケース
１４・・・モータ
１６・・・刃体のセット
１８・・・電力手段
２０・・・移動刃
２２・・・固定刃
２８・・・固定刃の歯
３０・・・サイド・カッティング・エッジ
３２・・・先端部
３６・・・第２ライン
３８・・・移動刃の歯
４２・・・ナイフ状の移動刃のエッジ
４３・・・表面
４４・・・第１ライン
４５・・・表面
４６・・・第３ライン
【図１】
0003860297.tif 000002
【図２】
0003860297.tif 000003
【図３】
0003860297.tif 000004
【図４】
0003860297.tif 000005
【図５】
0003860297.tif 000006
【図６】
0003860297.tif 000007
【図７】
0003860297.tif 000008